(57)【要約】      （修正有）【課題】異なる照明角度及び出射光の形状を調整できるランプを提供する。【解決手段】ランプは、対向する第１側及び第２側を有するベース１１０と、ベースに設けられる第１端及び第１端に対向する第２端を有する連結ロッド１３０と、一端がベースの第１側に設けられ、且つこの一端を支点として連結ロッドに対して揺動可能な少なくとも１つの第１の光源部品１４０と、連結ロッドの第２端に設けられ、且つ収納空間を覆うようにランプカップに設けられる連結ベースと、収納空間を有し、第１の光源部品に電気的に接続される回路基板が収納空間に設けられるランプカップ１７０と、回路基板に電気的に接続されるように、ランプカップの一端に設けられるランプヘッド１８０と、を備える。【選択図】図５
0003216363.tif 000002
【実用新案登録請求の範囲】
【請求項１】
対向する第１側及び第２側を有するベースと、
前記ベースに設けられる第１端及び第１端に対向する第２端を有する連結ロッドと、
一端が前記ベースの前記第１側に設けられ、且つ前記一端を支点として前記連結ロッドに対して揺動可能な少なくとも１つの第１の光源部品と、
前記連結ロッドの前記第２端に設けられ、且つ収納空間を覆うようにランプカップに設けられる連結ベースと、
前記収納空間を有し、前記第１の光源部品に電気的に接続される回路基板が前記収納空間に設けられる前記ランプカップと、
前記回路基板に電気的に接続されるように、前記ランプカップの一端に設けられるランプヘッドと、
を備えるランプ。
【請求項２】
前記ベースに設けられる押圧板を更に備え、
各前記少なくとも１つの第１の光源部品は、放熱ベースの一端から延伸し且つ一端に枢軸部が設けられる延伸部を有する前記放熱ベースと、前記放熱ベースの側面に設けられる第１の光源基板と、前記第１の光源基板に覆設される第１のランプシェードと、を含み、
前記ベースは、少なくとも１つの凹溝を有し、前記延伸部は、対応的に前記凹溝の中に設けられ、且つ前記枢軸部は、前記押圧板と前記ベースとの間に位置する請求項１に記載のランプ。
【請求項３】
前記枢軸部に歯状の構造が設けられ、
前記押圧板の前記ベースに向かう面に、前記歯状の構造に弾性的に係合される弾性シートが設けられる請求項２に記載のランプ。
【請求項４】
前記放熱ベースは、貫通孔を有し、前記第１の光源基板は、ワイヤーによって前記回路基板に電気的に接続され、前記ワイヤーが前記貫通孔を貫通して前記連結ロッドの内部に延伸して前記回路基板に接続される請求項２に記載のランプ。
【請求項５】
前記凹溝の中に設けられる少なくとも１つの防水パイプを含み、前記防水パイプが対向する第１端及び第２端を有し、前記第１端が前記放熱ベースの前記貫通孔に連通し、前記第２端が前記凹溝の底部の開口に連通し、前記ワイヤーが前記防水パイプに貫入して前記ベースの中に延伸する請求項４に記載のランプ。
【請求項６】
前記回路基板に電気的に接続されるように前記ベースの前記第２側に設けられる第２の光源部品を更に含む請求項１に記載のランプ。
【請求項７】
前記第２の光源部品は、
ワイヤーによって前記連結ロッドの内部を貫通して前記回路基板に電気的に接続される第２の光源基板と、
前記第２の光源基板に覆設される第２のランプシェードと、
を含む請求項６に記載のランプ。
【請求項８】
前記回路基板及び前記第１の光源部品に電気的に接続されるように前記ベースの前記第２側に設けられる第２の光源部品を更に含む請求項２に記載のランプ。
【請求項９】
前記第２の光源部品は、第２の光源基板及び第２のランプシェードを含み、前記第２の光源基板がワイヤーによって前記回路基板に電気的に接続され、前記ワイヤーが前記連結ロッドの内部を貫通して前記回路基板に接続され、
前記放熱ベースは、貫通孔を有し、前記第１の光源基板がワイヤーによって前記貫通孔を貫通して前記第２の光源基板に電気的に接続される請求項８に記載のランプ。
【請求項１０】
前記凹溝の中に設けられる少なくとも１つの防水パイプを更に含み、前記防水パイプが対向する第１端及び第２端を有し、前記第１端が前記放熱ベースの前記貫通孔に連通し、前記第２端が前記凹溝の底部の開口に連通し、前記第１の光源基板と前記第２の光源基板を電気的に接続する前記ワイヤーが前記防水パイプに貫入して前記ベースの中に延伸する請求項９に記載のランプ。
【請求項１１】
前記連結パイプは、互いに嵌設する外パイプと内パイプを含む請求項１に記載のランプ。
【請求項１２】
前記ランプカップと前記連結ベースとの間に防水ガスケットが設けられる請求項１に記載のランプ。
【請求項１３】
前記第１のランプシェードは、前記放熱ベースに固定され、且つ前記第１のランプシェードと前記放熱ベースとの間に防水ガスケットが設けられる請求項２に記載のランプ。
【請求項１４】
前記第２のランプシェードは、前記ベースに固定され、且つ前記第２のランプシェードと前記ベースとの間に防水ガスケットが設けられる請求項７又は９に記載のランプ。
【考案の詳細な説明】
【技術分野】
【０００１】
本考案は、ランプに関し、特に、出射光の形状の調整可能なランプに関する。
【背景技術】
【０００２】
発光ダイオード（ｌｉｇｈｔ  ｅｍｉｔｔｉｎｇ  ｄｉｏｄｅ；ＬＥＤ）自体は、小体積、低駆動電圧、長寿命、環境保護という利点を有する。従って、発光ダイオード電球は、徐々に水銀ランプ又はガス放電ランプに取って代わり、広く使用されるようになる。しかしながら、ＬＥＤ電球は、出射光の角度に制限があり、一般的に公園、倉庫又は屋外の広場等の広い空間で使用される大きな照明器具は、通常、ＬＥＤ電球によって生成された光を反射カバーによって反射して、更に大きな照明器具に特定の光形状を生成させる必要がある。
【０００３】
しかしながら、異なる空間に所望の光の形状が異なるため、従来の大きな照明器具は、様々な空間の使用要求を満たすことができない。
【考案の概要】
【考案が解決しようとする課題】
【０００４】
従って、本考案の一目的は、異なる照明角度及び出射光の形状の調整可能なランプを提供することにある。
【課題を解決するための手段】
【０００５】
本考案の上記目的によれば、対向する第１側及び第２側を有するベースと、ベースに設けられる第１端及び第１端に対向する第２端を有する連結ロッドと、一端がベースの第１側に設けられ、且つこの一端を支点として連結ロッドに対して揺動可能な少なくとも１つの第１の光源部品と、連結ロッドの第２端に設けられ、且つ収納空間を覆うようにランプカップに設けられる連結ベースと、収納空間を有し、第１の光源部品に電気的に接続される回路基板が収納空間に設けられるランプカップと、回路基板に電気的に接続されるように、ランプカップの一端に設けられるランプヘッドと、を備えるランプを提出する。
【０００６】
本考案の一実施例によれば、前記ランプは、ベースに設けられる押圧板を更に備え、各少なくとも１つの第１の光源部品は、放熱ベースの一端から延伸し且つ一端に枢軸（pivot）部が設けられる延伸部を有する放熱ベースと、放熱ベースの側面に設けられる第１の光源基板と、第１の光源基板に覆設される第１のランプシェードと、を含み、ベースは、少なくとも１つの凹溝を有し、延伸部は、対応的に凹溝の中に設けられ、且つ枢軸部は、押圧板とベースとの間に位置する。
【０００７】
本考案の一実施例によれば、前記枢軸部に歯状の構造が設けられ、押圧板のベースに向かう面に、歯状の構造に弾性的に係合される弾性シート（elastic sheet）が設けられる。
【０００８】
本考案の一実施例によれば、前記放熱ベースは、貫通孔を有し、第１の光源基板は、ワイヤーによって回路基板に電気的に接続され、ワイヤーが貫通孔を貫通して連結ロッドの内部に延伸して回路基板に接続される。
【０００９】
本考案の一実施例によれば、前記ランプは、凹溝の中に設けられる少なくとも１つの防水パイプを更に含み、前記防水パイプが対向する第１端及び第２端を有し、第１端が放熱ベースの貫通孔に連通し、第２端が凹溝の底部の開口に連通し、ワイヤーが防水パイプに貫入してベースの中に延伸する。
【００１０】
本考案の一実施例によれば、前記ランプは、回路基板に電気的に接続されるようにベースの第２側に設けられる第２の光源部品を更に含む。
【００１１】
本考案の一実施例によれば、第２の光源部品は、ワイヤーによって連結ロッドの内部を貫通し回路基板に電気的に接続される第２の光源基板と、第２の光源基板に覆設される第２のランプシェードと、を含む。
【００１２】
本考案の一実施例によれば、前記ランプは、回路基板及び第１の光源部品に電気的に接続されるようにベースの第２側に設けられる第２の光源部品を更に含む。
【００１３】
本考案の一実施例によれば、前記第２の光源部品は、第２の光源基板及び第２のランプシェードを含み、第２の光源基板がワイヤーによって回路基板に電気的に接続され、ワイヤーが連結ロッドの内部を貫通して回路基板に接続され、放熱ベースは、貫通孔を有し、第１の光源基板は、ワイヤーによって貫通孔を貫通して第２の光源基板に電気的に接続される。
【００１４】
本考案の一実施例によれば、前記のランプは、凹溝の中に設けられる少なくとも１つの防水パイプを更に含み、前記防水パイプが対向する第１端及び第２端を有し、第１端が放熱ベースの貫通孔に連通し、第２端が凹溝の底部の開口に連通し、ワイヤーが防水パイプに貫入してベースの中に延伸する。
【００１５】
本考案の一実施例によれば、前記の連結パイプは、互いに嵌設する外パイプと内パイプを含む。
【００１６】
本考案の一実施例によれば、前記のランプカップと連結ベースとの間に防水ガスケットが設けられる。
【００１７】
本考案の一実施例によれば、前記の第１のランプシェードは、放熱ベースに固定され、且つ第１のランプシェードと放熱ベースとの間に防水ガスケットが設けられる。
【００１８】
本考案の一実施例によれば、前記の第２のランプシェードは、ベースに固定され、且つ第２のランプシェードとベースとの間に防水ガスケットが設けられる。
【考案の効果】
【００１９】
上記から分かるように、本考案は、第１の光源部品の角度に対する調整によってランプ全体の出射光の形状を変え、且つ第１の光源部品が歯状の構造と弾性シートの設計によって多段階の角度調整の目的を達成することができる。一方、本考案は、ランプの照明位置を調整するように、長さの調整可能な連結ロッドによってランプヘッドと第１の光源部品との相対位置を調整して、更に異なる使用要求を満たすことができる。
【図面の簡単な説明】
【００２０】
実施例及びその利点を完全に理解させるために、以下、添付図面を参照して合わせて説明する。
【図１】本考案の一実施形態に係るランプを示す立体模式図である。
【図２】本考案の一実施形態に係るランプを示す分解模式図である。
【図３】本考案の一実施形態に係るランプを示す部分断面模式図である。
【図４】本考案の一実施形態に係る放熱ベースと押圧板との位置関係を示す模式図である。
【図５】本考案の一実施形態に係る第１の光源モジュールがある角度に位置決めされる場合の模式図である
【図６】本考案の一実施形態に係る第１の光源モジュールが別の角度に位置決めされる場合の模式図である。
【図７】本考案の一実施形態に係る連結パイプの伸長状態を示す模式図である。
【考案を実施するための形態】
【００２１】
図１及び図２を参照されたい。図１は、本考案の一実施形態に係るランプを示す立体模式図である。図２は、本考案の一実施形態に係るランプを示す分解模式図である。本実施形態のランプ１００は、主にベース１１０、押圧板１２０、連結ロッド１３０、少なくとも１つの第１の光源部品１４０、第２の光源部品１５０、連結ベース１６０、ランプカップ１７０及びランプヘッド１８０を含む。本実施例において、第１の光源部品１４０は、ベース１１０に設けられ、且つ第１の光源部品１４０のベース１１０と連結する一端を支点として揺動することで（図５及び図６に示すように）、ランプ１００の出射光の形状を調整することができる。注意すべきなのは、本実施形態の第１の光源部品１４０は、５つであるが、示範的に説明するためのものだけであり、本考案を制限するものではない。他の実施例において、第１の光源部品１４０の数は、要求に応じて設計してもよい。
【００２２】
図２及び図３を同時に参照されたい。図３は、本考案の一実施形態に係るランプを示す部分断面模式図である。本実施例において、注意すべきなのは、ランプ１００の内部構造を明らかに示すために、図３は、ランプ１００の素子を全て示すものではない。ベース１１０は、対向する第１側１１１及び第２側１１２を有する。連結ロッド１３０の一端１３１ａは、ベース１１０の第１側１１１に設けられ、第１の光源部品１４０は、ベース１１０の第１側１１１に設けられ、且つ連結ロッド１３０の回りに設けられる。押圧板１２０は、ベース１１０の第１側１１１に設けられ、且つ連結ロッド１３０は、押圧板１２０を貫通する。第２の光源部品１５０は、ベース１１０の第２側１１２に設けられ、且つ第２の光源基板１５１及び第２のランプシェード１５２を含む。第２の光源基板１５１と第２のランプシェード１５２は、ベース１１０に設けられ、且つ第２のランプシェード１５２が第２の光源基板１５１を覆う。第２のランプシェード１５２とベース１１０との間には、水気が第２の光源部品１５０の内部に入らないようにするための防水ガスケット１５３が設けられる。
【００２３】
続いて図２及び図３を参照されたい。連結ベース１６０は、連結ロッド１３０の他端１３２ａに設けられる。ランプカップ１７０は、収納空間１７０ａを有し、且つ収納空間１７０ａの中に回路基板１７１が設けられる。連結ベース１６０は、ランプカップ１７０に固定され、且つ収納空間を覆う。ランプヘッド１８０は、回路基板１７１に電気的に接続されるように、ランプカップ１７０の一端に設けられる。ランプヘッド１８０は、主に、回路基板１７１と電気的に導通されるように、ランプホルダーにねじ込まれる。回路基板１７１は、第１の光源部品１４０と第２の光源部品１５０とを電気的に接続し、且つ第１の光源部品１４０と第２の光源部品１５０に電力及び制御信号を提供することに使用することができる。ある例において、連結ベース１６０とランプカップ１７０との間に、水気がランプカップ１７０の内部に入らないようにすることのできる防水ガスケット２０１が設けられてもよい。
【００２４】
続いて図２及び図３を参照されたい。第１の光源部品１４０は、放熱ベース１４１、第１の光源基板１４２及び第１のランプシェード１４３を含む。放熱ベース１４１は、第１側面１４１ａ、及び第１側面１４１ａに対向する第２側面１４２ｂを有する。第１の光源基板１４２は、第１側面１４１ａに設けられ、第２側面１４２ｂに放熱フィンが設けられる。第１のランプシェード１４３は、第１の光源基板１４２を覆うように、放熱ベース１４１に固定される。一実施例において、放熱ベース１４１には、第１側面１４１ａから第２側面１４２ｂへ貫通し、主にワイヤー（例えばワイヤーＷ２）を貫通させて、第１の光源基板１４２を例えば回路基板１７１又は第２の光源基板１５１のようなランプ１００内部の他の素子に電気的に接続することに用いる貫通孔１４１ｃを有する。第１のランプシェード１４３と放熱ベース１４１との間に、水気が第１の光源部品１４０の内部に入らないようにすることのできる防水ガスケット１４４が設けられる。
【００２５】
図２及び図４を同時に参照されたい。図４は、本考案の一実施形態に係る放熱ベースと押圧板との位置関係を示す模式図である。図２に示すように、ベース１１０は、複数の凹溝１１０ａを有し、且つ各凹溝の対向する両側壁に凹んだ円弧構造１１０ｂがある。本実施例において、ベース１１０の凹溝１１０ａの数は、第１の光源部品１４０の数に対応する。放熱ベース１４１は、放熱ベース１４１の一端から延伸し且つ一端に枢軸部１４１ｅがある延伸部１４１ｄを有し、且つ延伸部１４１ｄと枢軸部１４１ｅとが共にＬ形状の構造を形成する。延伸部１４１ｄは、凹溝１１０ａの中に設けられ、枢軸部１４１ｅは、凹んだ円弧構造１１０ｂに位置する。図４に示すように、押圧板１２０は、同様に数及び位置がベース１１０の凹溝１１０ａに対応する複数の凹溝１２０ａを有する。且つ、各押圧板１２０の凹溝１２０ａの両側に凹んだ円弧構造１２０ｂが設けられる。従って、押圧板１２０がベース１１０に固定される場合、放熱ベース１４１の延伸部が押圧板１２０の凹溝１２０ａの中に位置し、枢軸部１４１ｅが凹んだ円弧構造１２０ｂと凹んだ円弧構造１１０ｂとの間に位置するので、放熱ベース１４１が枢軸部１４１ｅによってベース１１０に対して回転することができる。
【００２６】
図２及び図４に示すように、放熱ベース１４１の枢軸部１４１ｅに歯状の構造１４１ｆが設けられる。押圧板１２０のベース１１０に向かう面１２１に、歯状の構造１４１ｆの１つの歯部に弾性的に係合される弾性シート２０２が設けられる。これによって、弾性シート２０２が歯状の構造１４１ｆに係合されることで、第１の光源モジュール１４０を所望の角度に位置決めすることができる。例えば図５及び図６に示すように、図５は、本考案の一実施形態に係る第１の光源モジュール１４０が４５度に位置決めされる場合の位置模式図であり、図６は、本考案の一実施形態に係る第１の光源モジュール１４０が９０度に位置決めされる場合の位置模式図である。これによって、第１の光源モジュール１４０の角度を変えることで、ランプ１００の出射光の形状を調整することができる。
【００２７】
再び図２及び図３を参照されたい。ある例において、連結パイプ１３０は、中空パイプであり、且つ連結パイプ１３０の一端１３１ａが押圧板１２０を貫通してベース１１０に設けられる場合、第２の光源部品１５０の第２の光源基板１５１は、ワイヤーＷ１によって連結パイプ１３０の内部を貫通して回路基板１７１に電気的に接続されることができる。且つ、第１の光源部品１４０の第１の光源基板１４２は、ワイヤーＷ１によって放熱ベース１４１の貫通孔１４１ｃを貫通して第２の光源基板１５１に電気的に接続されることができる。図２及び図３に示すように、ランプ１００は、複数の防水パイプ２１０を更に備える。防水パイプ２１０は、対向する第１端２１１及び第２端２１２を有する。防水パイプ２１０は、第１端２１１が放熱ベース１４１の貫通孔１４１ｃの中に設けられ、第２端がベース１１０の凹溝１１０ａの底部の開口１１０ｃの中に設けられる。これによって、第１の光源基板１４２に連結されるワイヤーＷ２は、放熱ベース１４１の貫通孔１４１ｃを貫通して防水パイプ２１０の中に貫入しベース１１０の中に延伸し、更に第２の光源基板１５１を連結することができる。防水パイプ２１０は、主にワイヤーＷ２を保護し、更に水気がランプ１００に入らないように設けられる。
【００２８】
別に図３及び図７を参照されたい。図７は、本考案の一実施形態に係る連結パイプの伸長状態を示す模式図である。ある実施例において、連結パイプ１３０は、互いに嵌設する外パイプ１３１及び内パイプ１３２を含み、且つ外パイプ１３１と内パイプ１３２との相対位置を変えることで、連結パイプ１３０全体の長さを変えることができる。内パイプ１３２の一端に抵抗部材１３３が嵌設され、且つ抵抗部材１３３が外パイプ１３３の内壁に接触する。これによって、抵抗部材１３３は、内パイプ１３２と外パイプ１３１との相対位置を固定するように摩擦力を提供することができる。他の実施例において、外パイプ１３１と内パイプ１３２との間は、螺合するように互いに連結されても、同様に連結パイプ１３０の長さを変える目的を達成することができる。
【００２９】
前記本考案から分かるように、本考案は、第１の光源部品の角度に対する調整によってランプ全体の出射光の形状を変え、且つ第１の光源部品が歯状の構造と弾性シートの設計によって多段階の角度調整の目的を達成することができる。一方、本考案は、ランプの照明位置を調整するように、長さの調整可能な連結ロッドによってランプヘッドと第１の光源部品との相対位置を調整して、更に異なる使用要求を満たすことができる。
【００３０】
本考案の実施形態を前述の通りに開示したが、これは、本考案を限定するものではなく、当業者なら、本考案の精神と範囲から逸脱しない限り、多様の変更や修正を加えることができ、したがって、本考案の保護範囲は、後の実用新案登録請求の範囲で指定した内容を基準とする。
【符号の説明】
【００３１】
１００  ランプ
１１０  ベース
１１０ａ、１２０ａ  凹溝
１１０ｂ、１２０ｂ  凹んだ円弧構造
１１０ｃ  開口
１１１  第１側
１１２  第２側
１２０  押圧板
１２１  面
１３０  連結ロッド
１３１  外パイプ
１３１ａ、１３２ａ  端
１３２  内パイプ
１３３  抵抗部材
１４０  第１の光源部品
１４１  放熱ベース
１４１ａ  第１側面
１４２ｂ  第２側面
１４１ｃ  貫通孔
１４１ｄ  延伸部
１４１ｅ  枢軸部
１４１ｆ  歯状の構造
１４２  第１の光源基板
１４３  第１のランプシェード
１４４、１５３、２０１  防水ガスケット
１５０  第２の光源部品
１５１  第２の光源基板
１５２  第２のランプシェード
１６０  連結ベース
１７０  ランプカップ
１７０ａ  収納空間
１７１  回路基板
１８０  ランプヘッド
２０２  弾性シート
２１０  防水パイプ
２１１  第１端
２１２  第２端
Ｗ１、Ｗ２  ワイヤー
【図１】
0003216363.tif 000003
【図２】
0003216363.tif 000004
【図３】
0003216363.tif 000005
【図４】
0003216363.tif 000006
【図５】
0003216363.tif 000007
【図６】
0003216363.tif 000008
【図７】
0003216363.tif 000009
【手続補正書】
【提出日】平成30年3月23日(2018.3.23)
【手続補正１】
【補正対象書類名】実用新案登録請求の範囲
【補正対象項目名】請求項１１
【補正方法】変更
【補正の内容】
【請求項１１】
前記連結ロッドは、互いに嵌設する外パイプと内パイプを含む請求項１に記載のランプ。